(57)【要約】【課題】  ズーム操作に応じた画角の変化を容易に確認でき、構図の確認を容易にすることができる撮像装置及び撮像制御方法を提供する。【解決手段】  図３（ａ２）に示すズーム枠画像において、ズーム目標位置における画角を示すズーム枠Ｆ１０の内側領域Ａ１０は透明で、ズーム枠Ｆ１０の外側領域Ａ１２は半透過レイヤーになっている。図３（ａ２）のズーム枠画像は、撮像素子によって撮像したスルー画表示に合成され、図３（ａ１）に示すように、ズーム目標位置における画角の外側領域Ａ１２が半透過で表示される。ズーミングの途中では、図３（ｂ２）に示すように、ズームステップに応じたズーム枠がスルー画に表示され、図３（ａ２）に示すように、ズームステップごとに段階的にズーム枠Ｆ１０が大きくなる。そして、ズームレンズがズーム目標位置に到達すると、図３（ｃ１）に示すように、ズーム目標位置における画角のスルー画が表示される。【選択図】      図３
2009071592.tif 000002
【特許請求の範囲】
【請求項１】
被写体を撮像する撮像手段と、
前記撮像手段によって撮像された画像を表示する表示手段と、
ズーミング指示を受け付けるズーミング指示手段と、
前記ズーミング指示に従って所定のズームステップごとにズーミングを実行するズーミング手段と、
前記ズーミング指示によって指定されたズーム目標位置における撮像エリアを示すズーム枠のサイズ及び表示位置を、前記ズーミング指示時のズーム位置と前記ズーム目標位置との間のズームステップごとに算出し、各ズームステップにおけるズーム枠を生成するズーム枠生成手段と、
前記ズーミングを実行する場合に、各ズームステップにおいて前記撮像手段によって撮像された画像に、該ズームステップに対応するズーム枠を合成して合成画像を生成する合成手段と、
前記ズーミングを実行する場合に、前記合成画像を前記表示手段に表示させる表示制御手段と、
を備えることを特徴とする撮像装置。
【請求項２】
前記合成画像の前記ズーム枠の外側の領域を半透過画像にするとともに、前記ズーム枠を半透過にする画像処理手段を更に備えることを特徴とする請求項１記載の撮像装置。
【請求項３】
前記ズーミング指示を受け付けたときのズーム位置と前記ズーミング指示によって指定されたズーム目標位置との間にズームステップがある場合に、該ズームステップにズーミングした場合の撮像エリアを示すステップ枠のサイズ及び表示位置を、前記ズームステップごとに算出し、各ズームステップにおけるステップ枠を生成するステップ枠生成手段を更に備え、
前記合成手段は、前記撮像手段によって撮像された画像に、前記ズーム枠及び前記ステップ枠の画像を合成することを特徴とする請求項１記載の撮像装置。
【請求項４】
前記合成画像の前記ズーム枠の外側の領域を半透過画像にするとともに、前記ズーム枠及び前記ステップ枠を半透過にし、該外側の領域の透明度を前記ステップ枠ごとに段階的に変化させる画像処理手段を更に備えることを特徴とする請求項３記載の撮像装置。
【請求項５】
前記表示手段上における前記ズーム枠の移動指示の入力を受け付ける移動指示手段を更に備え、
前記ズーミング手段は、前記移動指示に従って移動したズーム枠に対してズーミングを実行することを特徴とする請求項１から４のいずれか１項記載の撮像装置。
【請求項６】
前記撮像手段によって撮像された画像を記録する記録手段と、
前記撮像手段によって前記ズーミングの実行後の画像を撮像する場合に、前記ズーミングの実行後の画像とともに、前記ズーミングの実行前の画像を前記撮像手段によって撮像して前記記録手段に記録する撮像制御手段と、
を更に備えることを特徴とする請求項１から５のいずれか１項記載の撮像装置。
【請求項７】
撮像手段によって被写体を撮像して得られた画像を表示手段に表示する表示工程と、
ズーミング指示を受け付けるズーミング指示工程と、
前記ズーミング指示に従って所定のズームステップごとにズーミングを実行するズーミング工程と、
前記ズーミング指示によって指定されたズーム目標位置における撮像エリアを示すズーム枠のサイズ及び表示位置を、前記ズーミング指示時のズーム位置と前記ズーム目標位置との間のズームステップごとに算出し、各ズームステップにおけるズーム枠を生成するズーム枠生成工程と、
前記ズーミングを実行する場合に、各ズームステップにおいて前記撮像手段によって撮像された画像に、該ズームステップに対応するズーム枠を合成して合成画像を生成する合成工程と、
前記ズーミングを実行する場合に、前記合成画像を前記表示手段に表示させる表示制御工程と、
を備えることを特徴とする撮像制御方法。
【請求項８】
前記合成画像の前記ズーム枠の外側の領域を半透過画像にするとともに、前記ズーム枠を半透過にする画像処理工程を更に備えることを特徴とする請求項７記載の撮像制御方法。
【請求項９】
前記ズーミング指示を受け付けたときのズーム位置と前記ズーミング指示によって指定されたズーム目標位置との間にズームステップがある場合に、該ズームステップにズーミングした場合の撮像エリアを示すステップ枠のサイズ及び表示位置を、前記ズームステップごとに算出し、各ズームステップにおけるステップ枠を生成するステップ枠生成工程と、
前記撮像手段によって撮像された画像に、前記ズーム枠及び前記ステップ枠の画像を合成する工程と、
を更に備えることを特徴とする請求項７記載の撮像制御方法。
【請求項１０】
前記合成画像の前記ズーム枠の外側の領域を半透過画像にするとともに、前記ズーム枠及び前記ステップ枠を半透過にし、該外側の領域の透明度を前記ステップ枠ごとに段階的に変化させる画像処理工程を更に備えることを特徴とする請求項９記載の撮像制御方法。
【請求項１１】
前記表示手段上における前記ズーム枠の移動指示の入力を受け付ける移動指示工程と、
前記移動指示に従って移動したズーム枠に対してズーミングを実行するズーミング制御工程と、
を更に備えることを特徴とする請求項７から１０のいずれか１項記載の撮像制御方法。
【請求項１２】
前記撮像手段によって撮像された画像を記録する記録工程と、
前記撮像手段によって前記ズーミングの実行後の画像を撮像する場合に、前記ズーミングの実行後の画像とともに、前記ズーミングの実行前の画像を前記撮像手段によって撮像して前記記録手段に記録する撮像制御工程と、
を更に備えることを特徴とする請求項７から１１のいずれか１項記載の撮像制御方法。
【発明の詳細な説明】
【技術分野】
【０００１】
本発明は撮像装置及び撮像制御方法に係り、特にズーミングを行った場合に撮像可能な範囲を示す撮像エリアを確認するための表示を行う撮像装置及びその撮像制御方法に関する。
【背景技術】
【０００２】
特許文献１には、ビューファインダに望遠端画枠を表示するビデオカメラが開示されています。
【０００３】
特許文献２には、ビューファインダに画枠を表示し、画枠の設定後に該画枠に対応するズーム位置に撮影レンズを高速移動させるズーム制御方法が開示されています。
【特許文献１】特開平６−１０５１９０号公報
【特許文献２】特開平７−１７７４０９号公報
【発明の開示】
【発明が解決しようとする課題】
【０００４】
従来の撮像装置においてビューファインダを用いて撮像可能な範囲（撮像エリア）を確認しながらズーム操作を行う場合、一般のユーザには、ズーム操作に応じてどのくらいズームアップされるのかわかりにくいという問題があった。このため、ズーム操作に応じて画角が狭まったときに、ユーザが被写体のどの部分を見ているのかがわからなくなるという問題があった。
【０００５】
上記特許文献１では、ズームレンズを望遠端に移動させたとき（最大ズーム時）の画角が確認できるだけであり、ズーム操作に応じた画角の変化を確認できるものではなかった。また、上記特許文献２では、ズームする範囲を設定するためのものであり、ズーム操作に応じた画角の変化を確認できるものではなかった。
【０００６】
本発明はこのような事情に鑑みてなされたもので、ズーム操作に応じた撮像エリアの変化を容易に確認でき、構図の確認を容易にすることができる撮像装置及び撮像制御方法を提供することを目的とする。
【課題を解決するための手段】
【０００７】
上記課題を解決するために、本発明の第１の態様に係る撮像装置は、被写体を撮像する撮像手段と、前記撮像手段によって撮像された画像を表示する表示手段と、ズーミング指示を受け付けるズーミング指示手段と、前記ズーミング指示に従って所定のズームステップごとにズーミングを実行するズーミング手段と、前記ズーミング指示によって指定されたズーム目標位置における撮像エリアを示すズーム枠のサイズ及び表示位置を、前記ズーミング指示時のズーム位置と前記ズーム目標位置との間のズームステップごとに算出し、各ズームステップにおけるズーム枠を生成するズーム枠生成手段と、前記ズーミングを実行する場合に、各ズームステップにおいて前記撮像手段によって撮像された画像に、該ズームステップに対応するズーム枠を合成して合成画像を生成する合成手段と、前記ズーミングを実行する場合に、前記合成画像を前記表示手段に表示させる表示制御手段とを備えることを特徴とする。
【０００８】
上記第１の態様によれば、ズーム目標位置における撮像エリアをズーミングの実行前に予め確認することができる。
【０００９】
本発明の第２の態様に係る撮像装置は、上記第１の態様において、前記合成画像の前記ズーム枠の外側の領域を半透過画像にするとともに、前記ズーム枠を半透過にする画像処理手段を更に備えることを特徴とする。
【００１０】
上記第２の態様によれば、ズーム枠の外側の領域を半透過画像にすることにより、ズーミングの実行前に撮像エリアから外れる部分を明確に確認することができる。
【００１１】
本発明の第３の態様に係る撮像装置は、上記第１の態様において、前記ズーミング指示を受け付けたときのズーム位置と前記ズーミング指示によって指定されたズーム目標位置との間にズームステップがある場合に、該ズームステップにズーミングした場合の撮像エリアを示すステップ枠のサイズ及び表示位置を、前記ズームステップごとに算出し、各ズームステップにおけるステップ枠を生成するステップ枠生成手段を更に備え、前記合成手段は、前記撮像手段によって撮像された画像に、前記ズーム枠及び前記ステップ枠の画像を合成することを特徴とする。
【００１２】
上記第３の態様によれば、ズーム目標位置、及びズーム目標位置までのズームステップごとの撮像エリアをズーミングの実行時に確認することができる。
【００１３】
本発明の第４の態様に係る撮像装置は、上記第３の態様において、前記合成画像の前記ズーム枠の外側の領域を半透過画像にするとともに、前記ズーム枠及び前記ステップ枠を半透過にし、該外側の領域の透明度を前記ステップ枠ごとに段階的に変化させる画像処理手段を更に備えることを特徴とする。
【００１４】
上記第４の態様によれば、ズーム枠の外側の領域の透明度をステップ枠ごとに変化させることにより、ズーミングの実行前に撮像エリアから外れる部分を明確に確認することができる。
【００１５】
本発明の第５の態様に係る撮像装置は、上記第１から第４の態様において、前記表示手段上における前記ズーム枠の移動指示の入力を受け付ける移動指示手段を更に備え、前記ズーミング手段は、前記移動指示に従って移動したズーム枠に対してズーミングを実行することを特徴とする。
【００１６】
上記第５の態様によれば、ズーミングによって撮像エリアから外れる部分を確認した上で、ズーム枠を移動してズーミングの対象を調整することができるので、ユーザは構図の決定を容易に行うことができる。
【００１７】
本発明の第６の態様に係る発明は、上記第１から第５の態様において、前記撮像手段によって撮像された画像を記録する記録手段と、前記撮像手段によって前記ズーミングの実行後の画像を撮像する場合に、前記ズーミングの実行後の画像とともに、前記ズーミングの実行前の画像を前記撮像手段によって撮像して前記記録手段に記録する撮像制御手段とを更に備えることを特徴とする。
【００１８】
上記第６の態様によれば、ズーム実行前の画像を記録しておくことにより、構図の判定を容易にすることができる。
【００１９】
本発明の第７の態様に係る撮像制御方法は、撮像手段によって被写体を撮像して得られた画像を表示手段に表示する表示工程と、ズーミング指示を受け付けるズーミング指示工程と、前記ズーミング指示に従って所定のズームステップごとにズーミングを実行するズーミング工程と、前記ズーミング指示によって指定されたズーム目標位置における撮像エリアを示すズーム枠のサイズ及び表示位置を、前記ズーミング指示時のズーム位置と前記ズーム目標位置との間のズームステップごとに算出し、各ズームステップにおけるズーム枠を生成するズーム枠生成工程と、前記ズーミングを実行する場合に、各ズームステップにおいて前記撮像手段によって撮像された画像に、該ズームステップに対応するズーム枠を合成して合成画像を生成する合成工程と、前記ズーミングを実行する場合に、前記合成画像を前記表示手段に表示させる表示制御工程とを備えることを特徴とする。
【００２０】
本発明の第８の態様に係る撮像制御方法は、上記第７の態様において、前記合成画像の前記ズーム枠の外側の領域を半透過画像にするとともに、前記ズーム枠を半透過にする画像処理工程を更に備えることを特徴とする。
【００２１】
本発明の第９の態様に係る撮像制御方法は、上記第７の態様において、前記ズーミング指示を受け付けたときのズーム位置と前記ズーミング指示によって指定されたズーム目標位置との間にズームステップがある場合に、該ズームステップにズーミングした場合の撮像エリアを示すステップ枠のサイズ及び表示位置を、前記ズームステップごとに算出し、各ズームステップにおけるステップ枠を生成するステップ枠生成工程と、前記撮像手段によって撮像された画像に、前記ズーム枠及び前記ステップ枠の画像を合成する工程とを更に備えることを特徴とする。
【００２２】
本発明の第１０の態様に係る撮像制御方法は、上記第９の態様において、前記合成画像の前記ズーム枠の外側の領域を半透過画像にするとともに、前記ズーム枠及び前記ステップ枠を半透過にし、該外側の領域の透明度を前記ステップ枠ごとに段階的に変化させる画像処理工程を更に備えることを特徴とする。
【００２３】
本発明の第１１の態様に係る撮像制御方法は、上記第７から第１０の態様において、前記表示手段上における前記ズーム枠の移動指示の入力を受け付ける移動指示工程と、前記移動指示に従って移動したズーム枠に対してズーミングを実行するズーミング制御工程とを更に備えることを特徴とする。
【００２４】
本発明の第１２の態様に係る撮像制御方法は、上記第７から第１１の態様において、前記撮像手段によって撮像された画像を記録する記録工程と、前記撮像手段によって前記ズーミングの実行後の画像を撮像する場合に、前記ズーミングの実行後の画像とともに、前記ズーミングの実行前の画像を前記撮像手段によって撮像して前記記録手段に記録する撮像制御工程とを更に備えることを特徴とする。
【発明の効果】
【００２５】
本発明によれば、ズーム目標位置における撮像エリアをズーミングの実行前に予め確認することができる。
【発明を実施するための最良の形態】
【００２６】
以下、添付図面に従って本発明に係る撮像装置及び撮像制御方法の好ましい実施の形態について説明する。
【００２７】
［第１の実施形態］
図１は、本発明の第１の実施形態に係る撮像装置の全体構成を示すブロック図である。図１に示す撮像装置１０は、静止画及び動画の記録及び再生機能を備えた電子カメラである。中央処理装置（ＣＰＵ）１８は、所定のプログラムに従って撮像装置１０全体の動作を制御するとともに、自動露出（ＡＥ）演算、自動焦点調節（ＡＦ）演算、ホワイトバランス（ＷＢ）調整演算等の各種演算を実施する。
【００２８】
操作入力部２２は、電源スイッチ、モード選択スイッチ、撮像モード切替スイッチ、シャッタスイッチ、ズームボタン、メニュー／ＯＫキー、十字キー、キャンセルキーを含んでいる。操作入力部２２からの信号はＣＰＵ１８に入力され、ＣＰＵ１８は操作入力部２２からの入力信号に基づいて撮像装置１０の各回路を制御し、例えば、レンズ駆動制御、撮像動作制御、画像処理制御、画像データの記録／再生制御、表示部３８（図２参照）の表示制御等を行う。
【００２９】
電源スイッチは、撮像装置１０の電源のオン・オフを切り替えるための操作手段である。
【００３０】
モード選択スイッチは、撮像モードと再生モードとを切り替えるための操作手段である。
【００３１】
撮像モード切替スイッチは、撮像装置１０の撮像モードを切り替える操作手段である。撮像装置１０の撮像モードは、例えば、シーンポジション（例えば、ナチュラルフォト、人物、風景、スポーツ、夜景、水中撮像、接写（花等）又はテキスト文章撮像）に応じてフォーカスや露出を最適化して撮像するためのシーンポジションモード、被写体の顔を検出する顔検出モード、フォーカス及び露出を自動的に設定するオートモード、フォーカス及び露出をマニュアルで設定可能なマニュアルモード及び動画撮像モードの間で切り替えられる。
【００３２】
シャッタスイッチは、撮像開始の指示を入力する操作手段であり、半押し時にオンするＳ１スイッチと、全押し時にオンするＳ２スイッチとを有する２段ストローク式のスイッチで構成されている。
【００３３】
ズームボタンは、撮像モード時にはズーミング操作手段として機能するとともに、再生モード時には再生画像のズーミング操作手段として機能する。
【００３４】
メニュー／ＯＫキーは、表示部３８の画面上にメニューを表示させる指令を行うためのメニューボタンとしての機能と、選択内容の確定及び実行等を指令するＯＫボタンとしての機能とを兼備した操作キーである。
【００３５】
十字キーは、上下左右の４方向の指示を入力する操作部であり、メニュー画面から項目を選択したり、各メニューから各種設定項目の選択を指示したりする操作手段（カーソル移動操作手段）である。
【００３６】
キャンセルキーは、選択項目等所望の対象の消去や指示内容の取り消し、あるいは１つ前の操作状態に戻す時等に使用される。
【００３７】
表示制御部２６は、カラー表示可能な液晶モニタ（ＬＣＤ）で構成された表示部３８を含んでいる。なお、表示部３８としては、液晶モニタのほか、有機ＥＬ（electro-luminescence）等の他の方式の表示装置を用いることも可能である。表示部３８は、撮像時に画角確認用の電子ファインダとして使用できるとともに、記録済み画像を再生表示する手段として利用される。また、表示部３８は、ユーザインターフェース用の表示画面としても利用され、メニュー情報や選択項目、設定内容等の情報が表示される。
【００３８】
撮像装置１０は、パーソナルコンピュータその他の外部機器と接続するための通信手段として通信部２４を備えている。撮像装置１０は、通信部２４を介して外部機器と接続されると、当該外部機器との間でデータの受渡しが可能となる。なお、撮像装置１０と外部機器との間の通信方式としては、例えば、ＵＳＢ、IEEE1394やBluetooth（登録商標）等を採用することができる。
【００３９】
次に、撮像装置１０の撮像機能について説明する。モード選択スイッチによって撮像モードが選択されると、撮像可能な状態になる。
【００４０】
画像入力部１４には、カラーＣＣＤ固体撮像素子（以下、撮像素子という）が含まれている。なお、撮像素子としては、例えば、ＣＭＯＳを用いてもよい。
【００４１】
変倍レンズ部１２は、変倍レンズ（ズームレンズ）のほか、フォーカスレンズ及び絞りを含んでいる。ＣＰＵ１８は、ズームボタンが操作されたことを検出すると、ズーミングの向き（テレ側又はワイド側）及びズームレンズの移動目標位置（ズーム目標位置）を算出し、変倍レンズ部１２に制御信号を出力して、ズームレンズを移動させてズーミングを行う。また、ＣＰＵ１８は、変倍レンズ部１２に制御信号を出力して、フォーカシング及び絞り値の制御を行う。
【００４２】
また、撮像装置１０は、上記のようにズームレンズを移動させてズーミングを行う光学ズームのほか、撮像素子によって撮像した画像の一部を切り出して拡大する電子ズーム（デジタルズーム）機能を有している。ＣＰＵ１８は、ズームレンズのテレ側の移動限界（光学ズームのテレ端）までは光学ズームを実行し、光学ズームのテレ端よりもテレ側（以下、電子ズーム領域という）へのズーミング指示を受け付けると電子ズーム機能を実行する。
【００４３】
変倍レンズ部１２を通過した光は、撮像素子の受光面に結像される。撮像素子の受光面には多数の受光素子（例えば、フォトダイオード）が２次元的に配列されており、撮像素子の受光面に結像された被写体像は、各受光素子によって入射光量に応じた量の信号電荷に変換される。各受光素子に蓄積された信号電荷は、ＣＰＵ１８の指令に従って信号電荷に応じたアナログ画像信号として順次読み出される。
【００４４】
撮像素子から読み出されたアナログ画像信号は、画像入力部１４において、サンプリングホールド（相関２重サンプリング処理）されて増幅された後、Ａ／Ｄ変換されて、デジタルが画像信号として入力信号処理部１６に入力される。なお、画像入力部１４におけるアナログ画像信号の増幅ゲインは、撮像感度（ＩＳＯ感度）に相当する。ＣＰＵ１８は、この増幅ゲインを調整することにより撮像感度を設定する。
【００４５】
入力信号処理部１６に入力されたデジタル画像信号は、同時化処理（単板ＣＣＤのカラーフィルタ配列に伴う色信号の空間的なズレを補間して色信号を同時式に変換する処理）が行われた後、輝度信号（Ｙ信号）及び色差信号（Ｃｒ、Ｃｂ信号）に変換されるとともに、階調変換処理（例えば、ガンマ補正）、輪郭補正回路等の所定の処理が施される。
【００４６】
シャッタスイッチが半押しされると（Ｓ１オン）、撮像素子から出力された画像信号はＡ／Ｄ変換後に、自動露出処理（ＡＥ処理）及び自動焦点調節処理（ＡＦ処理）が開始される。即ち、ＡＥ処理は、ＣＰＵ１８によって、分割測光により検出した被写体輝度から露出値（撮像ＥＶ値）が算出され、この露出値と所定のプログラム線図に従って、絞り値とシャッタスピードが決定される。また、オートモードの場合には、フラッシュ発光モード／非発光モードが設定される。また、ＡＦ処理は、例えば、画像信号のＧ信号の高周波成分が極大になるようにフォーカスレンズを移動させるコントラストＡＦが適用される。
【００４７】
シャッタスイッチが半押しされ（Ｓ１オン）、ＡＥ処理及びＡＦ処理が行われた後、シャッタスイッチが全押しされると（Ｓ２オン）、記録用の撮像動作がスタートする。Ｓ２オンに応動して取得された画像信号は、入力信号処理部１６によって輝度／色差信号（Ｙ／Ｃ信号）に変換され、ガンマ補正等の所定の処理が施される。このＹ／Ｃ信号は、所定のフォーマットに従って圧縮された後、画像記録部２０に記録される。例えば、静止画についてはＪＰＥＧ（Joint Photographic Experts Group）形式、動画についてはＡＶＩ（Audio Video Interleaving）形式の画像ファイルとして記録される。
【００４８】
画像記録部２０は、撮像装置１０に着脱自在な記録媒体であり、例えば、ｘＤピクチャカード（登録商標）、スマートメディア（登録商標）に代表される半導体メモリカード、可搬型小型ハードディスク、磁気ディスク、光ディスク、光磁気ディスク等、種々の媒体を用いることができる。
【００４９】
モード選択スイッチにより再生モードが選択されると、画像記録部２０に記録されている最終の画像ファイル（最後に記録された画像ファイル）の圧縮データが読み出される。最後の記録に係る画像ファイルが静止画ファイルの場合、この読み出された画像圧縮データは、非圧縮のＹ／Ｃ信号に伸張された後、表示部３８に出力されて表示される。
【００５０】
静止画の１コマ再生中（動画の先頭フレーム再生中も含む）に、十字キーの右キー又は左キーを操作することによって、再生対象の画像ファイルを切り換えること（順コマ送り／逆コマ送り）ができる。コマ送りされた位置の画像ファイルが画像記録部２０から読み出されて表示部３８に再生表示される。
【００５１】
次に、ライブビュー画像（スルー画）を表示部３８に出力する場合について説明する。図２は、表示制御部２６の主要構成を示すブロック図である。図２に示すように、表示制御部２６は、表示用画像生成部２８、メモリ３０、枠画像生成部３２、枠画像用メモリ３４、画像合成部３６及び表示部３８を含んでいる。
【００５２】
スルー画表示を行う場合、撮像素子から出力されたアナログ画像信号は、画像入力部１４及び入力信号処理部１６によって所定の処理が施された後、デジタル画像信号として表示用画像生成部２８に入力される。
【００５３】
表示用画像生成部２８は、入力されたデジタル画像信号を所定方式の表示用ビデオ信号（例えば、ＮＴＳＣ方式のカラー複合画像信号）に変換し、表示用画像データを生成する。この表示用画像データは、メモリ３０に一時記憶される。
【００５４】
メモリ（フレームメモリ）３０には、少なくとも２つの記憶領域（Ａ領域及びＢ領域）が設けられており、１コマ分の画像に対応する表示用画像データがこのＡ領域とＢ領域とで交互に書き換えられる。そして、Ａ領域及びＢ領域のうち、最新のコマに対応する表示用画像データが読み出され、以前のコマに対応する表示用画像データが新たに入力されるものに上書きされる。このように、メモリ３０内の表示用画像データが定期的に書き換えられて表示部３８に供給されることにより、撮像中の画像がリアルタイムに表示部３８に表示される。
【００５５】
スルー画表示中にズームボタンが操作された場合、ＣＰＵ１８は、ズームボタンの操作が検出されなくなると（例えば、ズームボタンの操作が検出されなくなってから所定時間（例えば、０．５秒から１秒）経過後）、ズームボタンの押下時間及び方向に応じてズームレンズの移動目標位置（ズーム目標位置）及びズーミングの向きを決定する。そして、ＣＰＵ１８は、ズームボタンの操作直前のズーム位置（ズーム開始位置）を検出し、ズーム開始位置及びズーム目標位置に基づいて、ズーム目標位置における撮像エリアを示すズーム枠のサイズを算出する。ここで、ＣＰＵ１８は、ズーム開始位置からズーム目標位置までズームレンズを移動させるときにズームレンズが通過するズームステップごとにズーム枠のサイズを算出する。また、ズーム目標位置が電子ズーム領域にある場合には、ＣＰＵ１８は、電子ズームのズームステップごとにズーム枠のサイズを算出する。ＣＰＵ１８によって算出されたズーム枠のサイズ情報は枠画像生成部３２に入力される。そして、ＣＰＵ１８は、光学ズーム及び電子ズームを実行する。
【００５６】
枠画像生成部３２は、ＣＰＵ１８から入力されたズーム枠のサイズ情報に応じて、ズームステップごとのズーム枠画像データを生成する。このズーム枠画像データは、枠画像用メモリ３４に一時記憶される。
【００５７】
表示用画像生成部２８は、ズーミングの途中の各ズームステップにおけるデジタル画像信号から表示用画像データを生成し、メモリ３０に一時記憶する。
【００５８】
画像合成部３６は、メモリ３０に記憶された表示用画像データと、該表示用画像データのズームステップに対応するズーム枠画像データを読み出して合成し、表示部３８に出力する。これにより、ズーミングの途中の各ズームステップのスルー画にズーム目標位置の撮像エリアを示すズーム枠画像が合成されたスルー画が表示部３８に表示される。
【００５９】
図３は、スルー画表示の例を示している。図３（ａ２）は、ズーム開始位置におけるズーム枠画像を示している。図３（ａ２）に示すズーム枠画像において、ズーム目標位置における撮像エリアを示すズーム枠Ｆ１０の内側領域Ａ１０は透明で、ズーム枠Ｆ１０及びズーム枠Ｆ１０の外側領域Ａ１２は半透過レイヤーになっている。図３（ａ２）のズーム枠画像は、撮像素子によって撮像したスルー画表示に合成され、図３（ａ１）に示すように、ズーム枠Ｆ１０及びズーム目標位置における撮像エリアの外側領域Ａ１２が半透過で表示される。ここで、ズーム枠Ｆ１０及び外側領域Ａ１２の処理方法としては、例えば、ズーム枠Ｆ１０及び外側領域Ａ１２の範囲を示す情報を枠画像用メモリ３４に記憶しておき、この部分の輝度（ＲＧＢ値）又は彩度の少なくとも一方を減算する方法がある。また、ズーム枠Ｆ１０及び外側領域Ａ１２の半透過の画像を枠画像用メモリ３４に記憶しておき、スルー画に合成するようにしてもよい。
【００６０】
ズーミングの途中では、図３（ｂ２）に示すように、ズームステップに応じたズーム枠がスルー画に表示され、図３（ａ２）に示すように、ズームステップごとに段階的にズーム枠Ｆ１０が大きくなる。そして、ズームレンズがズーム目標位置に到達すると、図３（ｃ１）に示すように、ズーム目標位置における撮像エリアのスルー画が表示される。
【００６１】
図４は、本発明の第１の実施形態に係るスルー画表示処理の流れを示すフローチャートである。まず、撮像装置１０の動作モードが撮像モードに設定されて（ステップＳ１０のＮｏ）、ズームボタンが操作されてズーム指示が受け付けられると（ステップＳ１２、ステップＳ１４のＹｅｓ）、ズームボタンの操作終了後に（例えば、ズームボタンの操作が検出されなくなってから所定時間（例えば、０．５秒から１秒）経過後）、ズームボタンの押下時間及び方向に応じてズーム目標位置及びズーミングの向き（テレ側又はワイド側）が検出される。
【００６２】
次に、ズーム目標位置が現在のズーム位置（ズーム開始位置）よりもテレ側かどうか判定される（ステップＳ１６）。ズーム目標位置がズーム開始位置よりもテレ側ではない場合には（ステップＳ１６のＮｏ）、ズーミングが実行される（ステップＳ１８）。なお、ズーム目標位置が電子ズーム領域の場合、ステップＳ１８では光学ズーム機能に加えて電子ズーム機能も実行される。
【００６３】
一方、ズーム目標位置がズーム開始位置よりもテレ側の場合には（ステップＳ１６のＹｅｓ）、枠画像生成部３２によってズーム枠画像が生成され、スルー画に合成表示される（ステップＳ２０）。そして、ズームステップごとにズーミングが行われて、ズーム目標位置に向かってズームレンズが段階的に移動する（ステップＳ２２）。なお、ズーム目標位置が電子ズーム領域の場合には、ステップＳ２２では光学ズーム機能に加えて電子ズーム機能も実行される。
【００６４】
次に、ズーム位置がズーム目標位置に到達するまで（ステップＳ２４）、ズームステップごとのズーミングが繰り返されて、各ズームステップに対応するズーム枠画像がスルー画に合成される（ステップＳ２０）。
【００６５】
次に、ズーミングの終了後に（ステップＳ２４のＹｅｓ）、シャッタスイッチが全押し（Ｓ２オン）されると（ステップＳ２６のＹｅｓ）、画像が撮影されて画像記録部２０に記録される（ステップＳ２８）。なお、ステップＳ２８では、ズーム目標位置における画像とともに、ズーム開始位置における画像を撮像して記録するようにしてもよい。
【００６６】
本実施形態によれば、ズーム目標位置における撮像エリアをズーミングの実行前に予め確認することができる。また、半透過レイヤーを通してズーミングの実行前に撮像エリアから外れる部分を確認することができるので、ユーザは構図の決定を容易に行うことができる。
【００６７】
［第２の実施形態］
次に、本発明の第２の実施形態について説明する。なお、撮像装置１０の全体構成については上記第１の実施形態と同様である。
【００６８】
図５は、本発明の第２の実施形態に係る表示制御部２６の主要構成を示すブロック図である。図５に示すように、本実施形態に係る表示制御部２６は、第１枠画像生成部３２−１及び第２枠画像生成部３２−２を備えている。
【００６９】
スルー画表示中にズームボタンが操作された場合、ＣＰＵ１８は、ズームボタンの操作が検出されなくなると（例えば、ズームボタンの操作が検出されなくなってから所定時間（例えば、０．５秒から１秒）経過後）、ズームボタンの押下時間及び方向に応じてズーム目標位置及びズーミングの向き（テレ側又はワイド側）を決定する。そして、ＣＰＵ１８は、ズームボタンの操作直前のズーム位置（ズーム開始位置）を検出し、ズーム開始位置及びズーム目標位置に基づいて、ズーム目標位置における撮像エリアを示すズーム枠のサイズを算出する。ここで、ＣＰＵ１８は、ズーム開始位置からズーム目標位置までズームレンズを移動させるときにズームレンズが通過するズームステップごとにズーム枠のサイズを算出する。また、ズーム目標位置が電子ズーム領域にある場合には、ＣＰＵ１８は、電子ズームのズームステップごとにズーム枠のサイズを算出する。
【００７０】
また、ＣＰＵ１８は、ズーム開始位置とズーム目標位置との間に、ズームステップがある場合に、各ズームステップ位置における撮像エリアを示す枠（ステップ枠）のサイズを算出する。ここで、ＣＰＵ１８は、ズーム開始位置からズーム目標位置までズームレンズを移動させるときにズームレンズが通過するズームステップごとのステップ枠のサイズを算出する。また、ズーム目標位置が電子ズーム領域にある場合には、ＣＰＵ１８は、電子ズームのズームステップごとにステップ枠のサイズを算出する。
【００７１】
ＣＰＵ１８は、ズーム枠のサイズ情報を第１枠画像生成部３２−１に入力し、ステップ枠のサイズ情報を第２枠画像生成部３２−２に入力する。そして、ＣＰＵ１８は、光学ズーム及び電子ズームを実行する。
【００７２】
第１枠画像生成部３２−１は、ＣＰＵ１８から入力されたズーム枠のサイズ情報に応じて、ズームステップごとのズーム枠画像データを生成する。また、第２枠画像生成部３２−２は、ＣＰＵ１８から入力されたステップ枠のサイズ情報に応じて、ズームステップごとのステップ枠画像データを生成する。ズーム枠画像データ及びステップ枠画像データは、枠画像用メモリ３４に一時記憶される。
【００７３】
表示用画像生成部２８は、ズーミングの途中の各ズームステップにおけるデジタル画像信号から表示用画像データを生成し、メモリ３０に一時記憶する。
【００７４】
画像合成部３６は、メモリ３０に記憶された表示用画像データと、該表示用画像データのズームステップに対応するズーム枠画像データ及びステップ枠画像データを読み出して合成し、表示部３８に出力する。これにより、ズーミングの途中の各ズームステップのスルー画に、ズーム目標位置、及びズーム開始位置とズーム目標位置との間の各ズームステップにおける撮像エリアを示す枠画像が合成されたスルー画が表示部３８に表示される。
【００７５】
なお、本実施形態では、ズーム開始位置とズーム目標位置との間のすべてのズームステップの撮像エリアに対応するステップ枠を合成するようにしたが、例えば、現在のズーム位置の次のズームステップに対応するステップ枠、又はズーム目標位置の１つ前のズームステップに対応するステップ枠だけを合成するようにしてもよい。
【００７６】
図６は、スルー画表示の例を示している。図６には、ズーム開始位置とズーム目標位置との間のズームステップが１つの例を示している。図６（ａ２）に示すように、ズーム枠Ｆ２０の内側領域Ａ２０は透明で、ズーム枠Ｆ２０、ステップ枠Ｆ２２、ズーム枠Ｆ２０とステップ枠Ｆ２２との間の領域Ａ２２及びステップ枠Ｆ２２の外側領域Ａ２４は半透過レイヤーになっている。図６（ａ２）の枠画像は、撮像素子によって撮像したスルー画表示に合成され、図６（ａ１）に示すように、ズーム枠Ｆ２０、ステップ枠Ｆ２２、領域Ａ２２及びＡ２４が半透過で表示される。ここで、領域Ａ２４の透明度は、領域Ａ２２よりも低くなっている。なお、ズーム枠Ｆ２０、ステップ枠Ｆ２２、領域Ａ２２及びＡ２４の処理方法としては、例えば、領域Ａ２２及びＡ２４の範囲を示す情報を枠画像用メモリ３４に記憶しておき、この部分の輝度（ＲＧＢ値）又は彩度の少なくとも一方を減算する方法がある。また、ズーム枠Ｆ２０、ステップ枠Ｆ２２、領域Ａ２２及びＡ２４の半透過の画像を枠画像用メモリ３４に記憶しておき、スルー画に合成するようにしてもよい。
【００７７】
ズーミングの途中では、図６（ｂ２）に示すようなズームステップに応じたズーム枠Ｆ２０及びステップ枠Ｆ２２がスルー画に表示され、図６（ａ２）に示すように、ズームステップごとに段階的にズーム枠Ｆ２０及びステップ枠Ｆ２２が大きくなる。そして、ズームレンズがズーム目標位置に到達すると、図６（ｃ１）に示すように、ズーム目標位置における撮像エリアのスルー画が表示される。
【００７８】
図７は、本発明の第２の実施形態に係るスルー画表示処理の流れを示すフローチャートである。まず、撮像装置１０の動作モードが撮像モードに設定されて（ステップＳ３０のＮｏ）、ズームボタンが操作されてズーム指示が受け付けられると（ステップＳ３２、ステップＳ３４のＹｅｓ）、ズームボタンの操作終了後に（例えば、ズームボタンの操作が検出されなくなってから所定時間（例えば、０．５秒から１秒）経過後）、ズームボタンの押下時間及び方向に応じてズーム目標位置及びズーミングの向き（テレ側又はワイド側）が検出される。
【００７９】
次に、ズーム目標位置が現在のズーム位置（ズーム開始位置）よりもテレ側かどうか判定される（ステップＳ３６）。ズーム目標位置がズーム開始位置よりもテレ側ではない場合には（ステップＳ３６のＮｏ）、ズーミングが実行される（ステップＳ３８）。なお、ズーム目標位置が電子ズーム領域の場合、ステップＳ３８では光学ズーム機能に加えて電子ズーム機能も実行される。
【００８０】
一方、ズーム目標位置がズーム開始位置よりもテレ側の場合には（ステップＳ３６のＹｅｓ）、第１枠画像生成部３２−１によってズーム枠画像が生成され、スルー画に合成される（ステップＳ４０）。そして、ズーム開始位置とズーム目標位置との間にズームステップがある場合には（ステップＳ４２）、第２枠画像生成部３２−２によってステップ枠画像が生成され、スルー画に合成される（ステップＳ４４）。そして、ズーム枠Ｆ２０及びステップ枠Ｆ２２が合成されたスルー画が表示部３８に表示される。
【００８１】
次に、ズームステップごとにズーミングが行われて、ズーム目標位置に向かってズームレンズが段階的に移動する（ステップＳ４６）。なお、ズーム目標位置が電子ズーム領域の場合には、ステップＳ４６では光学ズーム機能に加えて電子ズーム機能も実行される。
【００８２】
次に、ズーム位置がズーム目標位置に到達するまで（ステップＳ４８）、ズームステップごとのズーミングが繰り返されて、各ズームステップに対応するズーム枠Ｆ２０及びステップ枠Ｆ２２がスルー画に合成される（ステップＳ４０からＳ４４）。
【００８３】
次に、ズーミングの終了後に（ステップＳ４８のＹｅｓ）、シャッタスイッチが全押し（Ｓ２オン）されると（ステップＳ５０のＹｅｓ）、画像が撮影されて画像記録部２０に記録される（ステップＳ５２）。なお、ステップＳ５２では、ズーム目標位置における画像とともに、ズーム開始位置における画像を撮像して記録するようにしてもよい。
【００８４】
本実施形態によれば、ズーム目標位置、及びズーム目標位置までのズームステップごとの撮像エリアをズーミングの実行時に確認することができる。また、半透過レイヤーを通してズーミングの実行前に撮像エリアから外れる部分を確認することができるので、ユーザは構図の決定を容易に行うことができる。
【００８５】
［第３の実施形態］
次に、本発明の第３の実施形態について説明する。なお、撮像装置１０及び表示制御部２６の構成については上記第２の実施形態と同様である。
【００８６】
図８は、本実施形態に係るスルー画表示の例を示している。本実施形態では、上記第１の実施形態と同様に、ズームボタンの操作後に、ズーム枠Ｆ３０がスルー画に合成表示される。そして、このズーム枠Ｆ３０が表示されてからズーミングが開始されるまでの間に十字キーの操作が検出された場合、図８（ａ１）、図８（ｂ１）、図８（ａ２）及び図８（ｂ２）に示すように、十字キーの操作に応じてズーム枠Ｆ３０が移動するようになっている。
【００８７】
図９は、本発明の第３の実施形態に係るスルー画表示処理の流れを示すフローチャートである。まず、撮像装置１０の動作モードが撮像モードに設定されて（ステップＳ６０のＮｏ）、ズームボタンが操作されてズーム指示が受け付けられると（ステップＳ６２、ステップＳ６４のＹｅｓ）、ズームボタンの操作終了後に（例えば、ズームボタンの操作が検出されなくなってから所定時間（例えば、０．５秒から１秒）経過後）、ズームボタンの押下時間及び方向に応じてズーム目標位置及びズーミングの向き（テレ側又はワイド側）が検出される。
【００８８】
次に、ズーム目標位置が現在のズーム位置（ズーム開始位置）よりもテレ側かどうか判定される（ステップＳ６６）。ズーム目標位置がズーム開始位置よりもテレ側ではない場合には（ステップＳ６６のＮｏ）、ズーミングが実行される（ステップＳ６８）。なお、ズーム目標位置が電子ズーム領域の場合、ステップＳ６８では光学ズーム機能に加えて電子ズーム機能も実行される。
【００８９】
一方、ズーム目標位置がズーム開始位置よりもテレ側の場合には（ステップＳ６６のＹｅｓ）、枠画像生成部３２によってズーム枠画像が生成されて、スルー画に合成され、表示部３８に表示される（ステップＳ７０）。
【００９０】
次に、ズーム目標位置及びズーミングの向きの検出後の所定の時間内に十字キーの操作が検出された場合に（ステップＳ７２のＹｅｓ）、十字キーの押下時間及び十字キーの操作方向に応じてズーム枠Ｆ３０が移動する（ステップＳ７４）。そして、十字キーの操作が終了すると（例えば、十字キーの操作が検出されなくなってから所定時間（例えば、０．５秒から１秒）経過後）、及びズーム目標位置及びズーミングの向きの検出後の所定の時間内に十字キーの操作が検出されなかった場合に（ステップＳ７２のＮｏ）、ズームステップごとにズーミングが行われて、ズーム目標位置に向かってズームレンズが段階的に移動し、ズーム位置がズーム目標位置に到達するまで（ステップＳ７６）、ズームステップごとのズーミングが繰り返されて、各ズームステップに対応するズーム枠Ｆ３０がスルー画に合成される（ステップＳ７０）。なお、ズーム目標位置が電子ズーム領域の場合には、ステップＳ４６では光学ズーム機能に加えて電子ズーム機能も実行される。
【００９１】
次に、ズーミングの終了後に（ステップＳ７６のＹｅｓ）、シャッタスイッチが全押し（Ｓ２オン）されると（ステップＳ７８のＹｅｓ）、画像が撮影されて画像記録部２０に記録される（ステップＳ８０）。なお、ステップＳ８０では、ズーム目標位置における画像とともに、ズーム開始位置における画像を撮像して記録するようにしてもよい。
【００９２】
本実施形態によれば、ズーミングによって撮像エリアから外れる部分を確認した上で、ズーム枠を移動してズーミングの対象を調整することができるので、ユーザは構図の決定を容易に行うことができる。
【００９３】
なお、本実施形態では、ズーム枠Ｆ３０を移動可能にしたが、例えば、上記第２の実施形態と同様に、ステップ枠をスルー画に合成し、ズーム枠Ｆ３０に追随させて移動させるようにしてもよい。また、ズーム枠Ｆ３０が移動した結果ズーム開始位置の撮像エリアから外れる場合には、ワイド側にズーミングを行って、ズーム枠Ｆ３０が撮像エリアから外れないようにするようにしてもよい。
【００９４】
上記の各実施形態では、ズームレンズを移動させるときの各ズームステップのスルー画を取得して表示するようにしたが、例えば、ズーミング途中のスルー画表示を、ズーミングの開始時に撮像した画像に対して電子ズーム処理を実行することにより行ってもよい。この場合、光学ズームに比べてズームステップ数を多くとることができるので、ズーミング時によるスルー画の撮像エリアの経時変化を滑らかに表示することができる。
【００９５】
また、上記の各実施形態では、テレ側にズームする場合に、ズーム目標位置における撮像エリアを示す枠を表示するようにしたが、ワイド側にズームする場合にも同様の表示を行うようにしてもよい。この場合、例えば、スルー画表示中にズームボタンの操作が検出された後、ズームボタンの操作が検出されなくなった場合に（例えば、ズームボタンの操作が検出されなくなってから所定時間（例えば、０．５秒から１秒）経過後）、ズーム開始位置及びズーム目標位置を検出して、ズームレンズをワイド端に移動し、ズーム開始位置、ズーム目標位置、及びズーム開始位置とズーム目標位置との間の各ズームステップの撮像エリアを示す枠画像を、ワイド端において取得したスルー画に合成するようにしてもよい。
【図面の簡単な説明】
【００９６】
【図１】本発明の第１の実施形態に係る撮像装置の全体構成を示すブロック図
【図２】本発明の第１の実施形態に係る表示制御部２６の主要構成を示すブロック図
【図３】本発明の第１の実施形態に係るスルー画表示の例
【図４】本発明の第１の実施形態に係るスルー画表示処理の流れを示すフローチャート
【図５】本発明の第２の実施形態に係る表示制御部２６の主要構成を示すブロック図
【図６】本発明の第２の実施形態に係るスルー画表示の例
【図７】本発明の第２の実施形態に係るスルー画表示処理の流れを示すフローチャート
【図８】本発明の第３の実施形態に係るスルー画表示の例
【図９】本発明の第３の実施形態に係るスルー画表示処理の流れを示すフローチャート
【符号の説明】
【００９７】
１０…撮像装置、１２…変倍レンズ部、１４…画像入力部、１６…入力信号処理部、１８…ＣＰＵ、２０…画像記録部、２２…操作入力部、２４…通信部、２６…表示制御部、２８…表示用画像生成部、３０…メモリ、３２…枠画像生成部、３４…枠画像用メモリ、３６…画像合成部、３８…表示部
【図１】
2009071592.tif 000003
【図２】
2009071592.tif 000004
【図３】
2009071592.tif 000005
【図４】
2009071592.tif 000006
【図５】
2009071592.tif 000007
【図６】
2009071592.tif 000008
【図７】
2009071592.tif 000009
【図８】
2009071592.tif 000010
【図９】
2009071592.tif 000011